(57)【特許請求の範囲】
【請求項１】
下記の要件を備えたことを特徴とするままごと玩具
（イ）分割可能な２以上の分割体によって構成された野菜、くだもの、その他の食品を模した形状のままごと玩具本体を有していること。
（ロ）前記分割体の結合面には凹部が設けられており、当該凹部内に面ファスナーからなる結合手段が設けられていること。
（ハ）前記分割体は、前記面ファスナーによる結合手段によって結合および結合解除自在に結合され、結合時には前記面ファスナーが外部に露出しないように覆われた状態となるように構成されていること。
（ニ）前記面ファスナーには、殻体内に香り成分を収容したマイクロカプセルが付着されていること。
【発明の詳細な説明】
【０００１】
【発明の属する技術分野】
本願発明は、玩具の包丁を用いて切って遊ぶままごと玩具に関するものである。
【０００２】
【従来の技術】
従来、玩具の包丁を用いて、野菜、果物、肉、魚等の食品を模したものを、玩具の包丁で切断（分離）して遊ぶ、ままごと玩具が知られている。当該従来のままごと玩具は、面ファスナー等で互いに結合された構成物である分割体を、単に切って遊ぶものであった。
【０００３】
【発明が解決しようとする課題】
上記従来のままごと玩具は、前記分割体を単純に結合若しくは結合を解除させる機能をもっているだけであり、他に機能を有していなかった。従って、子供に飽きられやすいという性質を有していた。
【０００４】
本願発明に係るままごと玩具は、上記の点に鑑み発明されたものであって、単純に結合若しくは結合を解除させるだけでなく、切断時に香りを発生させる機能を持たせることで、本物の食品を切っているかのような印象を子供に与え、飽きることなく使用することができる、新たな玩具を提供することをその課題とする。
【０００５】
【課題を解決するための手段】
上記課題を解決するために、本願発明は以下の構成を有する。すなわち、請求項１記載の発明は、下記の要件を備えたことを特徴とするままごと玩具である。
（イ）分割可能な２以上の分割体によって構成された野菜、くだもの、その他の食品を模した形状のままごと玩具本体を有していること。
（ロ）前記分割体の結合面には凹部が設けられており、当該凹部内に面ファスナーからなる結合手段が設けられていること。
（ハ）前記分割体は、前記面ファスナーによる結合手段によって結合および結合解除自在に結合され、結合時には前記面ファスナーが外部に露出しないように覆われた状態となるように構成されていること。
（ニ）前記面ファスナーには、殻体内に香り成分を収容したマイクロカプセルが付着されていること。
【００１０】
【発明の実施の形態】
以下、本願発明の一実施形態を図面を用いて説明する。
図１において、１はままごと玩具本体（以下単に「本体」という）を表しており、当該本体１は複数の分割体３（３ａ、３ｂ、３ｃ、３ｄ）の結合によって構成されている。また、本実施の形態では、本体１は、食品である「芋」を模した形状に形成されている。
前記各分割体３は、それぞれ合成樹脂により一体的に形成された部材であり、前記「芋」を輪切りにしたような所定の形状に形成されている。
【００１１】
前記のように、本体１は複数の分割体３の結合によって構成されている。また、各分割体３は互いに面ファスナーによって結合されるようになっている。すなわち、結合する分割体３の一方の結合面には面ファスナーの雄部材５２、他方の分割体３の一方の結合面には面ファスナーの雌部材５１がそれぞれ設けられており、当該雄雌の面ファスナー５２，５１同士を結合させることで、各分割体３同士が結合されるようになっている。
【００１２】
次に、前記各分割体３の結合面の構造について説明する。図１において、３１は分割体３ａの有している結合面、３２は分割体３ｂの有している結合面をそれぞれ表している。各結合面３１、３２は円形の端面となっており、各結合面３１、３２の中央部には円形の凹部４１、４２がそれぞれ設けられている。また、前記凹部４１、４２内には、面ファスナーの結合要素部分を各結合面３１、３２よりも若干突出させた状態で、各面ファスナー５２，５１が設けられている。
前記面ファスナー自体もある程度の厚みを有している。従って、面ファスナーを凹部４１、４２内に設けることで、各分割体３ａ、３ｂの結合面３１、３２同士の間に面ファスナーの厚みによる大きな隙間を形成することなく、略密着させたような状態で互いを結合させることができるようになっている。
【００１３】
前記各面ファスナー５２，５１の表面部には、微小なマイクロカプセル６が多数付着されている。当該マイクロカプセルは、内部に香りを発生する要素を封入した殻体であり、殻体が押圧されてつぶれると香りを発生する要素が外部にしみでて、香りを発生するようになっているものである。本実施の形態では、本体１を構成する分割体３を、玩具包丁２で切断（分離）させて遊ぶようになっている。従って、玩具包丁２を用いて分割体３を分離させる際、玩具包丁２が面ファスナーに付着したマイクロカプセル６を押しつぶし、それに伴い香りが発生するようになっている。なお、玩具包丁２は、その断面が略くさび形を成しており、分割体と分割体との間に玩具包丁２の刃部を入れやすいようになっている。
【００１４】
また、マイクロカプセル６を付着させた面ファスナー５２，５１を、凹部４１、４２内に設けた構造となっているので、各分割体３が結合しているときには、結合面３１、３２が密着に近い状態となり、面ファスナー５２，５１が外部に露出しないよう覆われた状態となっている。
すなわち、マイクロカプセルが壊れて、香り要素がしみ出ていても、結合面３１、３２が密着しているときには、香りは外部に放出しにくく香りを凹部４１、４２内に閉じこめた状態となっている。
従って、すでに何度か使用することでマイクロカプセル６が既に壊れていても、その香りはしばらく面ファスナに付着して香りを放出し続けるので、分割体３を結合させておくことで凹部４１、４２内に香りを閉じこめておき、再び分離した際にあらためて香りを感じることができるようにすることができる。このように、凹部４１、４２を設けておくことで、一度だけではなく継続して香りの放出を楽しむことができるようになっている。
【００１５】
また、前記マイクロカプセル６に封入されている香り要素は、模している食品の香りにすることができる。
たとえば、本実施形態のように芋の形態の本体１であれば芋の香り、バナナの形をした本体１を形成した場合にはバナナの香りを封入したマイクロカプセル６を使用することで、実際に芋やバナナを切っているかのような印象を遊技者に与えることができる。
【００１６】
以上、本実施の形態では、香りを封入したマイクロカプセル６を面ファスナーに付着させる構成としたが、これに限らず、結合面３１、３２上の両部材が接合する部分に付着させる構成としてもよい。
また、前記従来の例では各分割体３の結合手段として面ファスナーを用いたが、他の手段を採用してもよい。すなわち、鳩目、あるいは磁石等、外力によって簡単に引離きれるものであればよい。
【００１７】
【発明の効果】
以上説明した本願発明に係るままごと玩具は以下に述べる効果を有している。すなわち、食品を模した本体を玩具包丁で分離させることにより、それに伴って香りを発生させることができるという効果を有している。また、当該香りをその模した食品の香りとすることで、実際の食品を切っているかのような印象を遊技者に与えることができるという効果をも有している。
また、玩具包丁による切断部分となる結合面にそれぞれ凹部を設けておくことで、香りを当該凹部に封じ込めておくことができる。従って、本体を構成する分割体を結合させているときには香りは感じにくいが、分離することで香りを感じることができるという効果を有している。そして、このような効果を一度限りではなく、複数回にわたって利用することができる。
【図面の簡単な説明】
【図１】本願発明の一実施例を示すままごと玩具の要部斜視図である。
【図２】本願発明のままごと玩具の要部拡大断面図である。
【符号の説明】
１  ままごと玩具本体
２  玩具包丁
３  分割体
６  マイクロカプセル
３１  結合面
３２  結合面
４１  凹部
４２  凹部
５２  面ファスナーの雄部材
５１  面ファスナーの雌部材
【図１】
0003696520.tif 000002
【図２】
0003696520.tif 000003